(57)【要約】      （修正有）【課題】シートに棒状の目盛り等を印字し、指標と併せてのクラブシャフト部に装着して使用することで、パークゴルフの打数を簡単に表示・記録・集計する用具に関する。【解決手段】（イ）構成を示すと、シートはパーの打数を表示する部分（Ａシート）とプレーの打数を表示する部分（Ｂシート）及び指標からなっている。（ロ）その細部は、シートにそれぞれに等間隔の棒状の「目盛り」及び「数値等」を印字し、クラブのシャフト部に貼り付ける。（ハ）各シートには目盛りの位置を示すものとして、ゴム製など弾力のあるリンク状の「指標」を装着する（ニ）使用方法は、パーの打数を表示する部分（Ａシート）とプレーの打数を表示する部分（Ｂシート）とも、それぞれの打数に応じて、指標を動かし、合計の打数を簡単に表示・記録・集計するものである。【選択図】図２
2005000630.tif 000002
【特許請求の範囲】
【請求項１】
シートに棒状の目盛りを印字し、指標と併せてクラブシャフトに装着し、パークゴルフの打数を表示する用具
【発明の詳細な説明】
【０００１】
【発明に属する技術分野】
この発明は、シートに棒状の目盛り等を印字し、指標と併せてのクラブシャフト部に装着して使用し、パークゴルフの打数を簡単に表示・記録・集計する用具に関するものである。
【０００２】
【従来の技術】
現在打数を表示するものとしては、カード式・カウンター式等があり、カード式は、記入のわずらわしさ及び計算の難しい点・間違い易い点があり。また、スコアカウンター式では、一般的に数字等が小さく読みずらい点など、いずれの方式も使用しずらい面があった。
【０００３】
【発明が解決しようとする課題】
特に愛好者の多い中高齢者には、打数の計算に苦労されている人も多く「もっと簡単に打数を表示するものはないか、使い易いものはないか」という要望に答えるために発明されたものである。
【０００４】
【課題を解決するための手段】
細部を説明すると、次のようになります。
尚、用具は大きくパーの打数（標準打数）を表示する部分（Ａシート）とプレーの打数を表示する分部（Ｂシート）のシート及び指標に分けられます。
（イ）  パーの打数（標準打数）を表示する部分（Ａシート）
（イ−１）  等間隔の棒状の「目盛り」１１本を設ける。
（イ−２）  目盛りに「０から１０」の「数値」を付ける。
（イ−３）  数値等を補足するための「記号及び文字」を付ける。
（ロ）  プレー打数を表示する部分（Ｂシート）
（ロ−１）  等間隔の棒状の「目盛り」２１本を設ける。
（ロ−２）  中央の目盛りにパーの打数（標準打数）を示す「０」とハーフ（９ホール）の標準打数を示す「３３」の「数値」を付ける。
（ロ−３）  中央の目盛りの片側に「１から１０」もう一方の側に「−１から−１０」の「数値」を付ける。
（ロ−４）  数値等を補足するための「記号及び文字」を付ける。
（ハ）  「目盛り」・「数値」・「記号及び文字」は、横型及び縦型のいずれのものでもよい。
（ニ）  シャフト部に貼り付ける方法には、シートの裏面を粘着性として直接貼り付ける方法、または糊等を使用して貼り付けるなどの方法がある。
（ホ）  「指標」は、目盛りの位置を示すもので、ゴム製などの弾力のあるリンク状のものとし、それぞれシート（Ａ・Ｂシート）に装着する。
装着方法には、弾力性を利用してグリップ部より挿入する方法などがある。
【０００５】
【発明の実施の形態】
次に実施の形態（実際の使用方法）をパーの打数（標準打数）を表示する部分（Ａシート）・プレーの打数を表示する部分（Ｂシート）及び指標に分けて説明すると、次のようになります。
（イ）  パーの打数（標準打数）を表示する部分（Ａシート）
（イ−１）  まず「指標」を「０」の目盛の位置にセットする。
（イ−２）  スタート（ハーフ前半・１ホールから９ホール）以降は各ホールごとに、そのホールのパーの打数（標準打数）だけプラスの方向に「指標」を動かす。
（イ−３）  「指標」が「１０」の目盛りを超える場合は、「指標」を元の位置（１以降の数）に返し、一の位のみ表示する。
（十の位を省略し記憶しておく）
（イ−４）  「指標の示す位置」が、スタートから各ホールまで、またはハーフを合計したパーの打数（標準打数）である。
（イ−５）  ハーフ後半（１０ホールから１８ホール）の要領については、前半に準ずる。
（イ−６）  ラウンドの合計は、ハーフ前・後半を合計した数である。
（ロ）  プレーの打数を表示する部分（Ｂシート）
（ロ−１）  まず「指標」を中央の「０・３３」位置にセットする。
（ロ−２）  最初のホール（１番ホール等）でのパーの打数（標準打数）に対して、
プレーの打数がプラスの場合は、「指標」をプラスの方向へ打数と同じ目盛りの数だけ移動させる。
プレーの打数がマイナス場合は、「指標」をマイナスの方向へ打数と同じ目盛りの数だけ移動させる。
プレーの打数がプラス・マイナス「０」場合は、「指標」は移動させない。
（ロ−３）  以下のホールについては、現に「指標」の示すしている位置を基準として（ロ−２）と同じ要領を繰り返す。
（ロ−４）  「指標」が「１０」または「−１０」の目盛りを超える場合は、「指標」を元の位置（１・−１以降の数）に返し、一の位のみ表示する。（十の位を省略し記憶しておく）
（ロ−５）  「指標の示す位置」が、スタートから各ホールまでのパーの打数（標準打数）に対しての、プラスまたは・マイナスのプレーの打数である。
（ロ−６）  ハーフ（前半）（１番から９番ホールまで等）の打数の合計は、ハーフのパーの打数（標準打数）である「３３」に最終のホール（９番ホール等）終了時点での「指標の数値」をプラスまたはマイナスした打数である。
（ロ−７）  ハーフ（後半）（１０番から１８番ホールまで等）の打数の合計は、（ロ−６）の要領に準ずる。
（ロ−８）  ラウンド（１８ホール）の合計の打数は、ハーフ前半の打数とハーフ後半の打数の合計とする。
【０００６】
【発明の効果】
効果については、次のようなものがあり、特に中高齢者等で計算の不得意な人にとって大変助かるものである。
（イ）  シートをシャフト部に貼り付けるだけの、簡単なものである。
（ロ）  「指標」を動かすだけで簡単に（パーの打数（標準打数）を基準として、プラス・マイナス）プレーの打数を表示・記録・集計をすることができる。
（ハ）  ハーフ前・後半及びラウンドの合計の打数の計算が簡単で間違いも少なくなる。
（ニ）  クラブと一体化したものであり、スコアカード（筆記具含む）、スコアカウンター等を携行する必要がない。また使用の都度ポケット等から出し入れをするわずらわしさもなくなる。
（ホ）  軽易に使用できるものであり、特に練習ラウンド等での使用に適する。
（公式の競技会においては、公認のスコアカードが義務ずけられている）
（ヘ）  シートのパーの打数を表示する部分（Ａシート）及びプレーの打数を表示する部分（Ｂシート）を、それぞれ個別で使用することもできる。特にプレーの打数を表示する部分（Ｂシート）のみ使用する場合は、更に一層簡単に打数を記録・表示・集計することができる。
【図面の簡単な説明】
【図１】本発明正面図
【図２】本発明斜視図（クラブシャフトに装着したもの、拡大図含む）
【符号の説明】
１は、シートのパーの打数を表示する部分（Ａシート）
２は、シートのプレーの打数を表示する部分（Ｂシート）
３は、目盛り・数値・記号及び文字
４は、指  標
【図１】
2005000630.tif 000003
【図２】
2005000630.tif 000004